(57)【特許請求の範囲】
【請求項１】
端末コンピュータとして設置される仕様要求手段と、この仕様要求手段とインターネットを介して接続される製品図作成手段と、この製品図作成手段に接続された部品図データベースとからなる電気機器収納用箱の製品仕様決定システムであって、
部品図データベースは、図面データベース、図面管理番号を保管する図面管理番号データ保管データベース、孔加工データを保管する孔加工データ保管データベースを備え、
製品図作成手段は、仕様要求手段による仕様指定に基づいて、部品図データベースから仕様指定の部品図データを検索するか新たな部品図データの生成を行ない、検索または生成された部品図データに基づいて電気機器収納用箱の製品図データを構成するとともに前記仕様要求手段上に該製品図を表示させる機能と、
仕様要求手段によるオプション機器の決定及び孔加工指定に基づく孔加工データを前記孔加工データ保管データベースに保管させるとともに、孔加工データを表示した製品図を作成し、仕様要求手段上に表示させる機能とを備え、
検索又は生成されたこれらデータのすべてが図面管理番号と関連付けられ管理されることを特徴とする製品仕様決定システム。
【請求項２】
製品図データと製品図に組み込まれた部品図データを一括管理するための図面管理番号を付与する番号付与手段が製品図作成手段に設けられたことを特徴とする請求項１に記載の製品仕様決定システム。
【発明の詳細な説明】
【０００１】
【発明の属する技術分野】
本発明はユーザーがインターネットを通じて製品の仕様を決定してゆく製品仕様決定システムに関するものである。
【０００２】
【従来の技術】
従来、配電盤、分電盤、電気機器収納用箱等の部品の内、標準品の部品図データは部品図データベースに格納され、部品図の型番を入力することにより紙出力を行なっていた。また、標準変形品や特注品は、その都度設計者が設計したうえ図面番号を付与して設計データベースに格納し、図面番号を入力することにより紙出力を行なっていた。
この標準変形品や特注品の中で電気機器収納用箱は屋外用、屋内用、材質、寸法、色等に基づいて人手により選定していた。また、配電盤、分電盤は主幹ブレーカの容量、分岐ブレーカの容量、分岐数、内部機器、盤に使用する箱等に基づいて人手により選定していた。
【０００３】
そして、ユーザーが配電盤、分電盤、または電気機器収納用箱等を発注する場合、まず代理店に使用場所、寸法、用途などを依頼し、代理店が製造業者にユーザーの依頼条件に適した部品の型番、若しくはユーザーの依頼条件をそのまま製造業者に伝えていた。これらの依頼内容が標準品の場合は、製造業者は代理店が示した部品の型番、若しくはユーザーの依頼条件に適するように各種部品の型番を選び出して組み合せた製品図を構成し、製品図を紙出力するものである。そして、標準変形品や特注品等場合には設計者がユーザー依頼仕様の部品図を構成して製品図としたうえ、図面番号を付与して紙出力するとともに設計データベースに格納していた。そして紙出力された製品図を直接又はＦＡＸで代理店を通じてユーザーに送付する。ユーザーはその製品図を見て確認した後、ユーザーは代理店を通じて製造業者に製品の発注を行なうこととなる。このようにして受注を受けた後、製造業者は製作を開始していた。
しかしながら、ユーザーから代理店、代理店から製造業者に製品の依頼を行ない。また、製造業者から代理店、代理店からユーザーへと製品図が送られた後、ユーザーから代理店、代理店から製造業者へと製品の依頼を行なっていた。しかも、商社が介在されることがあるため、依頼情報が多数の人を介して何度も行き交うので発注処理が極めて煩雑となり、依頼ミス、入力ミス、図面出力ミスといった様々な人為的なミスを誘発する要因となっていた。さらに、人手による処理のため発注から製品の製作までに時間がかかり過ぎるという問題があった。
【０００４】
【発明が解決しようとする課題】
本発明は人為的なミスの発生がないうえに、短期間で製品の製作にかかることができる製品仕様決定システムを提供することを目的とするものである。
【０００５】
【課題を解決するための手段】
前述の目的を達成するため本発明は、端末コンピュータとして設置される仕様要求手段と、この仕様要求手段とインターネットを介して接続される製品図作成手段と、この製品図作成手段に接続された部品図データベースとからなる電気機器収納用箱の製品仕様決定システムであって、部品図データベースは、図面データベース、図面管理番号を保管する図面管理番号データ保管データベース、孔加工データを保管する孔加工データ保管データベースを備え、製品図作成手段は、仕様要求手段による仕様指定に基づいて、部品図データベースから仕様指定の部品図データを検索するか新たな部品図データの生成を行ない、検索または生成された部品図データに基づいて電気機器収納用箱の製品図データを構成するとともに前記仕様要求手段上に該製品図を表示させる機能と、仕様要求手段によるオプション機器の決定及び孔加工指定に基づく孔加工データを前記孔加工データ保管データベースに保管させるとともに、孔加工データを表示した製品図を作成し、仕様要求手段上に表示させる機能とを備え、検索又は生成されたこれらデータのすべてが図面管理番号と関連付けられ管理されることを特徴とする製品仕様決定システムを請求項１の発明とし、請求項１の発明において、製品図データと製品図に組み込まれた部品図データを一括管理するための図面管理番号を付与する番号付与手段が製品図作成手段に設けられる製品仕様決定システムを請求項２の発明とするものである。
【０００６】
【発明の実施の形態】
図１は本発明の製品仕様決定システムのシステム構成図であり、図２は該システムにより実行される処理のフローである。図１に示されるとおり、このシステムは、端末コンピュータとして設置される仕様要求手段５０と、この仕様要求手段５０とインターネットを介して接続される製品図作成手段５１と、この製品図作成手段５１に接続された部品図データベース５２とからなる電気機器収納用箱等の製品仕様決定システムである。
仕様要求手段５０はインターネットを介して製品図作成手段５１との接続を行なう。そして製品図作成手段５１と仕様要求手段５０とが接続されたら、仕様要求手段５０はインターネットを介して表示されている製品図作成手段５１に対して各部品の仕様指定を特定の順序に従って行なう。仕様要求手段５０による部品の仕様指定により製品図作成手段５１は部品図データベース５２を検索し、仕様に基づく部品図データを検索する。このとき、該当する部品図データが部品図データベース５２に存在しない場合、製品図作成手段５１は仕様に類似する部品図データあるいは基本型の部品図データに基づいて新たな部品図データの生成を行なう。検索や生成された部品図データに基づいて製品図作成手段５１は製品図データを構成するとともに、仕様要求手段５０上に製品図の表示を行なうこととなる。なお、部品図データがそのまま製品図データとなることがある。そして、仕様要求手段５０上の製品図に基づいてユーザーは製品仕様を決定するものである。また、部品の仕様指定順序は製品図作成手段５１に設けられた順序変更手段５４により適宜変更することにより、特定の優先順位で検索が行われるものとしたり、部品の優先度に応じて他の部品の検索順序を変更するものとすることによって、仕様指定における種々の条件に対応でき、自由な販売戦略を図ることができる。製品図作成手段５１の番号付与手段５３により製品図データと製品図に組み込まれる部品図データを一括管理できる図面管理番号を付与することにより、製品図の検索することにより製品図に組み込まれた全ての部品図データを検索することができる。さらに、仕様要求手段５０の孔加工データ設定手段５５による孔加工指定に基づいて、仕様要求手段上孔加工データを表示した製品図を表示させることにより、孔加工データの表示を行なうことができる。
【０００７】
【実施例】
次に、本発明の実施例を図３〜１２に基づいて説明する。
図１に示されるように、部品図データベース５２は電気機器収容用箱や配電盤、分電盤等標準品の図面データベース５２ａ、図面管理番号を保管する図面管理番号データ保管データベース５２ｂ、電気機器収納用箱に装着する熱対策機器の熱関連機器データベース５２ｃ、孔加工データを保管する孔加工データ保管データベース５２ｄ等を格納するものである。これらのデータを格納する部品図データベース５２は製品図作成手段５１としてのサーバコンピュータに接続されるものである。そして、該製品図作成手段５１としてのサーバコンピュータはインターネットに接続され、ユーザーや代理店に設置された仕様要求手段５０としての端末コンピュータとアクセス可能としている。
【０００８】
前記図面データベース５２ａの各図面には電気機器収納用箱の検索項目Ａ〜Ｈと配電盤、分電盤の検索項目ＸＡ〜ＸＰが付与されおり、電気機器収納用箱の図面データとして、Ａ：設置場所（１：屋外用（１１：沿岸部）２：屋内用（２１：オイルミスト環境）（この分類入力をＪＩＳ  Ｃ０９２０に関するボックスの保護等級の数字をそのまま入力するようにすると簡略できてよい。そのときは数字の意味を表示できるようにしておく。）、Ｂ：用途（１：制御盤向、２：分電盤向、３：端子盤向、４：情報通信向）、Ｃ：材質（１：鉄、２：アルミ、３：ステンレス、４：プラスチック（４１：ＡＢＳ、４２：ＦＲＰ、４３：ポリプロピレン、４４：スチロール、４５：ポリカーボネート））、Ｄ：縦寸法（例えば１００（ミリ））、Ｅ：横寸法（ミリ）、Ｆ：奥行寸法（ミリ）、Ｇ：色彩（１：ライトベージュ、２：クリーム、３：オレンジ、４：ライトベージュII、５：クリームII）、Ｈ：扉（１：左扉、２：右扉、３：両扉）等が格納されている。
【０００９】
また、配電盤、分電盤の図面データとして、ＸＡ：種別（１：ホーム分電盤（１１：ドア付き、１２：ドア無）、２：分電盤（２１：電灯分電盤、２２：動力分電盤、２３：電灯動力混合分電盤、２４：仮設分電盤）、３：制御盤（３１：標準制御盤、３２：警報盤、３３：監視盤））、ＸＢ：主幹ブレーカー容量（例えば１００（アンペア））、ＸＣ：主幹ブレーカータイプ（１：サーキットブレーカ（１１：単３中性線欠相保護付き）、２：漏電ブレーカ（２２：単３中性線欠相保護付き））、ＸＤ：分岐ブレーカタイプ（１：安全ブレーカ、２：協約寸法ブレーカ、３：サーキットブレーカ）、ＸＥ：分岐回路数、ＸＦ：動力分岐回路数、ＸＧ：電灯分岐回路数，ＸＨ：予備分岐回路数、ＸＫ：リミッタスペース（１：有り、２：無）、ＸＬ：付属機器取付けスペース（１：有り、２：無）、ＸＭ：用途（１：屋外用、２：屋内用）、ＸＮ：材質（１：鉄、２：プラスチック）、ＸＰ：色彩（１：ライトベージュ、２：クリーム、３：オレンジ）等が格納されている。
【００１０】
また、インターネットに接続される製品図作成手段５１としてのサーバコンピュータによりホームページを開設する。該製品図作成手段５１には仕様決定のプログラムがインストールされている。図３に示すように、仕様決定のプログラムにおける仕様決定ホームページ画面には型番を入力する入力フォームと各検索項目の検索フォームが表示される。ユーザー又は代理店は端末のコンピュータとしての仕様要求手段５０を用い、該コンピュータにインストールされたブラウザソフトに表示される仕様決定ホームページ画面に従って、カタログ等で選んだ型番をフォームの入力枠に入力する。カタログを用いず該ホームページ上で検索して型番を決めるときには検索フォームの入力枠に入力を行なう。この検索項目には前記した電気機器収納用箱の検索項目Ａ〜Ｇの入力枠と配電盤、分電盤の検索項目ＸＡ〜ＸＰの入力枠が設けられ、プルダウンによって選択入力若しくは文字入力した後、選定ボタンをクリックすることで検索が開始される。検索項目を選択若しくは入力することによって、希望する型番を選び出すこととなるが、不確定項目（例えば、Ｃ：材質の入力枠で２アルミと３ステンレスをあわせて選択や未選択）がある場合にも対応しており、最大表示件数以内で、表示できるようになっている。また、縦寸法、横寸法、奥行寸法のサイズ等やその他の項目によってヒット件数が０の時は、部品図データベース５２から仕様に近似する類似部品を強制的に表示させるようにしてもよいし、製品図作成手段５１のサーバコンピュータで基本型あるいは類似部品図データからサイズその他の項目を変更して自動生成を行い部品図データベース５２に保管するようにしてもよい。また、例えば標準品の電気機器収納用箱を指定した場合では、前記した部品図データがそのまま製品図データとなる。なお、図３における最大表示件数は該最大表示件数の表示枠に直接指定入力を行なうことで変更できるものである。
【０００１１】
また、部品の指定順序は実施例において、カタログの表示順としているが、サーバ管理者が会社の販売戦略に従って順序変更手段を操作することにより順序を変更することもできる。この順序変更は仕様指定の際、特定の優先順位で検索が行われるものとしたり、部品の優先度に応じて他の部品の検索順序を変更するものとすることによって、仕様指定における種々の条件に対応でき、自由な販売戦略を図るものである。これは製品図作成手段５１に順序変更手段５４を付加することにより行われるものである。例えば、数量を多く販売したい製品、新製品が出たばかりで早く人目についてほしい製品等は表示順位を上位にすることにより使用頻度を上げたり、色やデザイン等を基準として仕様を決定するものとする。また、生産中止が近い商品は表示順位を下位にすることにより、使用頻度を下げるという販売戦略を図ることができる。
【００１２】
そして、実施例に示される通常の場合、検索して１件ヒットした場合は自動的に図５に示す仕様決定画面が表示されることとなり、複数ヒットしたときは図４の検索結果画面に示される各部品毎の検索結果一覧表の型番をクリックすることによって図５に示す仕様決定画面が表示されることとなる。この仕様決定画面には型番、姿図Ｄの他、図面管理番号、概算若しくは価格の金額、納期等が表示枠に表示される。このようにすることにより、カタログから部品の仕様指定を行う手間が省かれ、その場で納期や価格等が分かるうえに、代理店を経由しないので中間で人が何人も介在せずミスがない。なお、図面は予めユーザー又は代理店の仕様要求手段５０にインストールされるブラウザソフトにプラグインされた図面編集ソフトで編集することができる。
【００１３】
また、電気機器収納用箱の内部機器によっては温度上昇を抑制するために、オプション機器としてクーラ、熱交換器、換気扇等を装着する場合がある。これらの装着を希望するときには図５に示される仕様決定画面の熱関連機器装着ボタンをクリックすると仕様決定画面は、図６に示される熱関連機器選定画面に変って表示されることとなる。この熱関連機器選定画面の熱関連機器型番の入力枠に型番を直接入力するか、熱関連機器選定画面の熱関連機器選定用の入力枠に下記の項目を入力する。熱関連機器データは入力項目Ｋ〜Ｔがあり、Ｋ：箱縦寸法（例えば２０００（ミリ））、Ｌ：箱横寸法（１０００（ミリ））、Ｍ：箱奥行寸法（５００（ミリ））、Ｎ：設置方法（１：屋外（１１：背面設置、１２：コーナー設置）２：屋内（２１：背面設置、２２：コーナー設置））、Ｐ：取付け場所（１：天井、２：側面）、Ｑ：盤内発熱量（例えば２０００（ワット））、Ｒ：最高外気温度（４０（℃））、Ｓ：盤内許容温度（５０（℃））、Ｔ：種別（１：クーラー、２：熱交換器、３：換気扇）のデータを入力する。
【００１４】
この時、Ｋ：箱縦寸法、Ｌ：箱横寸法、Ｍ：箱奥行寸法の箱のサイズは自動的に表示できるようにしておけば入力を簡略できるものである。そして選定ボタンをクリックすると、図７に示す熱関連機器選定結果画面が表示され、必要冷却能力（ワット）及びクーラ、熱交換器、換気扇等の種別部品群（取付け場所ごと）毎の選定結果表が表示される。（選定により「不要」という表示結果もある。）この選定結果表には、種別、型番、冷却能力、必要台数等が表示され、追加条件として使用台数を入力することで盤内温度が自動計算され表示される。ここで希望する熱関連機器部品をクリックすると図８に示す仕様決定画面が表示されるが、この時には先程検索した製品の姿図Ｄに熱関連機器部品が装着された姿図Ｄ２となり、加えてこの熱関連機器部品の取付孔に対応した孔加工位置の姿図Ｄ３、熱関連機器型番が表示枠に表示される。この実施例では分電盤等のボックスに熱関連機器部品を装着した姿図Ｄ２としているが、熱関連機器部品のみを別の姿図として表示してもよい。
【００１５】
なお、盤内発熱量がわからない場合には、図６に示される熱関連機器選定画面の盤内発熱量算出ボタンをクリックすることによって、新たに表れる図９に示す盤内発熱量算出画面で求めることができる。この盤内発熱量算出画面には箱縦寸法、箱横寸法、箱奥行寸法（箱のサイズは上記したように自動表示されるのが好ましい）、設置方法（屋外、屋内、背面設置、コーナー設置）、盤内温度、盤外温度の各項目を入力することによって盤内発熱量を求める第１の盤内発熱量算出用の各項目と、代表的な盤内収納機器（変圧器、電源装置、増幅器、遮断器、電磁接触器、パソコン、ファンモーター等）及びその定格容量別の発熱量一覧表から選択することによって求める第２の盤内発熱量算出用の各項目とがあり、ここで算出された第１の盤内発熱量算出量と第２の盤内発熱量算出量のどちらか一方の算出結果は、選定ボタンをクリックすることによって図６の熱関連機器選定の項目Ｑ：盤内発熱量に反映され（もちろんその他の項目が未入力ならエラーが起きるのでそのとき入力する）、このようにして図７に示される熱関連機器選定結果画面にクーラあるいは熱交換器、換気扇等の指定結果表が得られる。
【００１６】
また、熱関連機器や各種メータ等の内部機器取付用、操作ボタン取付用あるいは電線導入出用の孔を透設するための孔加工を行う場合がある。これらの孔加工を希望するときには図８に示される仕様決定画面の孔加工ボタンをクリックすると仕様決定画面は別の図１０に示される孔加工指定画面が新たに表示される。この孔加工指定画面は図８の仕様決定画面の姿図Ｄ３が反映され、予めユーザー又は代理店の仕様要求手段５０のブラウザソフトにプラグインされた図面編集ソフトでこの姿図Ｄ３に必要な孔加工位置を指定する。指定する方法としては孔加工データ設定手段５５による座標入力とマウス入力による指定に基づいて行う方法とがあり、座標入力では、まず孔加工したい部品の任意の場所（例えばに左下）に始点を設定すると、現在のカーソール位置のＸ，Ｙ座標が表示される。次に、円形や四角形の孔形を指定し半径や縦横寸法や位置を数字入力すると図１０の孔加工指定画面の姿図に孔加工位置が表示される。また、マウス入力では、円形や四角形の孔形を指定しマウスで姿図上に描く。このようにして姿図上に孔加工位置を描画し確認して孔加工決定ボタンをクリックすると図８の仕様決定画面の姿図Ｄ３に孔加工位置が表示される。あるいは、熱関連機器の取付位置を指定することにより、孔位置や孔径等を自動的に構成し、該孔加工データを孔加工データ保管データベースに保管するとともにその管理番号を図面管理番号保管データベースに保管する。なお、前記した熱関連機器選定画面と孔加工指定画面は仕様決定画面とは別に表示されるようにしたが、熱関連機器選定画面と孔加工指定画面を組合わせて１つの画面とし、仕様決定画面と孔加工指定画面とを組合わせて１つの画面とするなど３つの画面のうち２つの画面を組合わせてもよいし、全てを組合わせて１つの画面としてもよい。
【００１７】
このようにして、最終的に仕様決定画面には製品の型番、熱関連機器型番、と製品の姿図、孔加工位置等が表示された製品の姿図、熱関連機器が装着された製品の姿図、熱関連機器の製品の姿図のうち希望するもの（図面選択ボタンで選択）および図面管理番号、概算若しくは価格の金額、納期等が表示され仕様書となる。従来、図面番号は製品図に対応して付与されていたが、図面管理番号は件名毎に付与される。このため図面管理番号から部品の型番のみならず、必要時に装着される熱関連機器の型番、孔加工データも引出すことができる。この時、孔加工データは図面管理番号と関連付けて孔加工データ保管データベースに保管されている。また、孔加工データベースはレーザー加工機に直結されているので加工時に人手を介することなく孔加工を行なうことができる。なお、この実施例以外にも、図面管理番号が付与された際に一時保管され仕様決定画面の決定ボタンがクリックされた時に最終的に保管するようにしてもよい。重要なことは、図面管理番号を読み出すことによって製品図データと装着する熱関連機器等の部品図データ、孔加工データを全て一括管理できることである。この仕様決定画面の最上部に仕様書や注文書と記すようにしておくか、決定ボタンを設けてこれを押すことによって図面管理番号が記載された図１１に示す注文書を別に新たな画面として表示させる。また、これらの姿図のデータが必要なときには図面要求ボタンをクリックすることによってＣＡＤデータのＤＸＦファイル形式に変換された図面データをダウンロード若しくは電子メールの添付ファイルとして受取ることができ、仕様書の図面（完成図面）構成の基本データとして利用することができる。
【００１８】
そこで、ユーザー又は代理店が基幹代理店や製造業者に注文するときは、図１１に示される注文書として図８の仕様決定画面若しくは前記した図面管理番号を記載した注文書を電子メールの添付ファイルとして送信すればよい。もちろん、仕様決定画面、注文書を紙出力してＦＡＸしたり手渡ししてもよい。
【００１９】
このような実施例のものでは、ユーザー、代理店はカタログから選ばなくてもよいので面倒でなく、納期もすぐにわかり、確実に仕様を伝達することができ、どこの代理店に発注しても図面管理番号さえ伝えればよい。選択した製品や孔加工の図面をダウンロードや電子メールの添付ファイルで受取ることができるので承認図面の基本データとして利用できる。また、代理店、製造業者はどこの代理店を経由したかを問わず、図面管理番号で受注することによって、発注を受ける代理店や社内の営業が製品の選定、仕様打合わせが不要になり、確実に仕様を受けることができる。製造業者は保管されている図面管理番号を読み出すことによって製品図データ、装着する熱関連機器等の部品図データ、孔加工データを全て一括管理でき、孔加工データはそのまま加工機へデータ搬送できる。ユーザー自身で入力、承認するので、作図工数そのものも削減でき、間違いもない。ユーザーから直接製造業者へアクセスがあるので、ユーザーのニーズがつかみ易く、また、製造業者からユーザーへＰＲしたい製品とそうでない製品の場合分けが可能で販売戦略を助長することができる。さらに、選択した製品や孔加工の図面をダウンロードや電子メールの添付ファイルとしてユーザーに送信することができるので、別途ＦＡＸや人手によって図面を渡さなくてもよく、納期等を迅速にユーザーに知らせることができる。
【００２０】
なお前記実施例で説明したオプション機器である熱関連機器、孔加工指定のほかにもユーザーが指定する内部機器等、それに付加する事項が一括管理できるようにしてもよい。
【００２１】
前記した実施例のフローを図１２、図１３、図１４のフローチャートで説明する。
図１２に示すようにユーザーや代理店の仕様要求手段５０から製造業者の製品図作成手段５１によるホームページにアクセスする（ステップＳ１）。このホームページへのアクセスにより、ユーザーや代理店の仕様要求手段５０の端末画面には図３の仕様決定ホームページ画面が表示される。ユーザーや代理店がこの仕様決定ホームページ画面における型番の入力枠若しくは検索項目の入力枠に入力する（ステップＳ２）ことによって、図面データベース５２ａにて検索が行われ（ステップＳ３）、ヒットした製品があれば図４に示される検索結果画面の検索結果一覧表に表示され、この検索結果一覧表から型番を選択し（ステップＳ４、ただしヒット件数が1件のときはスキップ）、なければ製品図作成手段５１としてのサーバコンピュータで類似の部品図データを修正して新たな部品図データを自動生成をするか、類似部品を選択し（ステップＳ５）、必要に応じて部品図データベース５２に保管する（ステップＳ６）。なお、ステップ３のヒットは仕様決定プログラムによって必ず類似製品をヒットさせこの中から選択するようしてステップ５、ステップ６をなくしてもよい。そして、部品図データベース５２から検索された型番がヒットし、図８の仕様決定画面に表示される際に当該アクセスによる検索と型番に関連付けて図面管理番号が付与され（ステップＳ７）、図面管理番号、姿図等が仕様決定画面に表示される（ステップＳ８）そして、最後に仕様決定画面の決定ボタンをクリックすることによって最終決定となる（ステップＳ１８）。この時、図面管理番号が図面管理番号データ保管データベース５２ｂに保管されることとなる（ステップＳ１９）。なお、仕様決定画面が表示される（ステップＳ８）で熱関連機器を検討する場合には図１３のフローチャート、孔加工が必用な場合には図１４のフローチャートに基づいて処理が行われる。
【００２２】
そしてオプション機器である熱関連機器を検討する場合は図１３のフローチャートに基づいて行なう。盤内発熱量が分かっている時には、図６に示される熱関連機器選定画面の熱関連機器選定フォームに各項目を入力すると（ステップＳ９）、熱関連機器データベース５２ｃにて検索が行われ（ステップＳ１０）、図７に示される熱関連機器選定結果画面に選定結果一覧表が表示され（ステップＳ１１）、この選定結果一覧表から型番を選択する（ステップＳ１２）。それにともなって、このオプション機器である熱関連機器の孔加工データが孔加工データ保管データベースに保管される。そして、図５に示される仕様決定画面には先程検索した製品の姿図Ｄに熱関連機器が装着されたものとなり、加えてこの熱関連機器の取付孔及び取付位置に対応した孔加工図、熱関連機器の型番が表示される（ステップＳ１３）。なお、前記した盤内発熱量が分かっていない時には、図９に示される盤内発熱量算出画面で求めることができる（ステップＳ９ａ）。
【００２３】
また、孔加工を行う時には図１４のフローチャートに基づいて行なわれ、図１０に示される孔加工指定画面が表示（ステップＳ１４）、孔位置を指定すると（ステップＳ１５）、孔加工データを孔加工データ保管データベース５２ｄに保管し、また、前記した熱関連機器の取付孔に対応した孔加工図データも同様に保管する（ステップＳ１６）。そして図５に示される仕様決定画面の姿図Ｄには孔加工図が表示される（ステップＳ１７）
【００２４】
そしてユーザーや代理店がどの代理店を介して注文があっても、この図面管理番号を検索するだけで、製品のみならず、装着される熱関連機器、孔加工データ等のデータも一括して利用できる。
次にユーザーや代理店が携帯端末によってホームページにアクセスした場合を説明する。
【００２５】
図１５は仕様要求手段５０としての携帯端末における画面の表示であり、携帯の仕様決定ホームページ画面には型番入力若しくは検索入力（例えば電気機器収納用箱や盤）が質問形式で入力される。型番入力は型番入力することによって、また、検索入力では文字表示領域の関係で項目ごとに表示画面が変わり質問される。最終的の仕様決定ホームページ画面で型番、納期、価格等が表示されるとともに図面管理番号が表示される。そして、決定による番号（１）を入力すると前記実施例と同様に作用するものであるが、ここで、図面要求する場合にはＦＡＸ番号若しくはメールアドレスを入力することによってこの図面管理番号の図面がＦＡＸ、インターネットに接続された仕様要求手段５０としてのコンピュータに送付されることとなる。このように出先からでも自動選択された製品の仕様決定を取ることができるとともに、図面を要求する場合には指定のＦＡＸ、インターネットに接続された仕様要求手段５０としてのコンピュータに図面が送付されることとなるので、仕様決定は仕様要求手段５０としての携帯端末で行ない、製品図は指定のＦＡＸ、仕様要求手段５０としてのコンピューターに振り分けることができる。
【００２６】
【発明の効果】
前記説明によって明らかなように、本発明はインターネットを介して接続される仕様要求手段による仕様指定に基づいて、特定の順序で部品図データベースから仕様指定の部品図データを検索するか新たな部品図データの生成を行ない、検索または生成された部品図データに基づいて製品図データを構成するとともに前記仕様要求手段上に該製品図を表示させる製品図作成手段を設けたものとしたから、人為的なミスを発生させることなく製品仕様を決定できるうえに、製品決定が短期間で行なうことができるので、製品の製作までの期間を大幅に短縮することができる。また、請求項２のように、製品図データと製品図に組み込まれた部品図データを一括管理するための図面管理番号を付与する番号付与手段が製品図作成手段に設けられるものとすることにより、製品図および部品図を一括管理することができ、検索が極めて容易となる。さらに、製品図作成手段が、仕様要求手段によるオプション機器の決定もしくは仕様要求手段の孔加工データ設定手段による孔加工指定に基づいて、仕様要求手段上に孔加工データを表示した製品図を表示させるものとすることにより、孔加工データを表示することができる等種々の利点を有するものである。
従って、本発明は従来の問題点を解消した製品仕様決定システムとして業界の発展に寄与するところ大なものである。
【図面の簡単な説明】
【図１】本発明の実施形態を示す製品仕様決定システムのシステム構成図である
【図２】本発明の実施形態を実行するフローチャートである。
【図３】本発明の実施例における仕様決定ホームページ画面である。
【図４】本発明の実施例における検索結果画面である。
【図５】本発明の実施例における仕様決定画面である。
【図６】本発明の実施例における熱関連機器選定画面である。
【図７】本発明の実施例における熱関連機器選定結果画面である。
【図８】本発明の実施例における仕様決定画面である。
【図９】本発明の実施例における盤内発熱量算出画面である。
【図１０】本発明の実施例における孔加工指定画面である。
【図１１】本発明の実施例における注文書画面である。
【図１２】本発明の実施例における仕様決定用のフローチャートである。
【図１３】本発明の実施例における熱関連機器検討用のフローチャートである。
【図１４】本発明の実施例における孔加工のフローチャートである。
【図１５】本発明を実施例を携帯端末に用いたときの画面である。
【符号に説明】
５０  仕様要求手段
５１  製品図作成手段
５２  部品図データベース
５３  番号付与手段
５４  順序変更手段
５５  孔加工データ設定手段
【図１】
0004743978.tif 000002
【図２】
0004743978.tif 000003
【図３】
0004743978.tif 000004
【図４】
0004743978.tif 000005
【図５】
0004743978.tif 000006
【図６】
0004743978.tif 000007
【図７】
0004743978.tif 000008
【図８】
0004743978.tif 000009
【図９】
0004743978.tif 000010
【図１０】
0004743978.tif 000011
【図１１】
0004743978.tif 000012
【図１２】
0004743978.tif 000013
【図１３】
0004743978.tif 000014
【図１４】
0004743978.tif 000015
【図１５】
0004743978.tif 000016